(57)【要約】【課題】電源オン時またはチャンネル切換時がＣＭ表示時間と重なった場合に、番組本編を視聴させること。【解決手段】通信ネットワークを介して番組本編のデータとＣＭのデータを取得するネットワークインターフェースと、番組本編のデータに含まれるＣＭ表示時間を取得し、ＣＭ表示時間以外では前記番組本編のデータを表示させ、ＣＭ表示時間にはＣＭのデータを表示させる制御部１１４と、を備え、制御部１１４は、電源オン時またはチャンネル切換時が前記ＣＭ表示時間と重なった場合には、ＣＭ表示時間にＣＭのデータを表示させることなく番組本編のデータを表示させる。【選択図】図２
2010136222.tif 000002
【特許請求の範囲】
【請求項１】
通信ネットワークを介して番組本編のデータとＣＭのデータを取得する受信部と、
前記番組本編のデータに含まれるＣＭ表示時間を取得し、前記ＣＭ表示時間以外では前記番組本編のデータを表示させ、前記ＣＭ表示時間にはＣＭのデータを表示させる制御部と、を備え、
前記制御部は、電源オン時またはチャンネル切換時が前記ＣＭ表示時間と重なった場合には、前記ＣＭ表示時間にＣＭのデータを表示させることなく前記番組本編のデータを表示させる、受信装置。
【請求項２】
前記ＣＭのデータを蓄積するＣＭデータ記憶部を備え、前記制御部は、前記ＣＭ表示時間において、前記ＣＭデータ記憶部に蓄積された前記ＣＭのデータを表示させる、請求項１に記載の受信装置。
【請求項３】
所定時間の間におけるチャンネルの切り換えの履歴を保持する切換履歴記憶部を備え、
前記制御部は、前記所定時間内に任意のチャンネルが最初に選局された場合に、選局タイミングがＣＭ表示時間と重なった場合は、前記ＣＭ表示時間にＣＭのデータを表示させることなく前記番組本編のデータを表示させ、
前記所定時間内に既に選局されたチャンネルが再度選局された場合に、選局タイミングがＣＭ表示時間と重なった場合は、前記ＣＭ表示時間にＣＭのデータを表示させる、請求項１に記載の受信装置。
【請求項４】
前記番組本編のデータの前記ＣＭ表示時間に対応する時間帯には、当該時間帯の直前の前記番組本編のデータと同一のデータが含まれる、請求項１に記載の受信装置。
【請求項５】
前記番組本編のデータの前記ＣＭ表示時間に対応する時間帯には、番組本編のあらすじ又は見所を含む番組本編の情報が含まれる、請求項１に記載の受信装置。
【請求項６】
前記番組本編のデータは生中継のデータであり、前記番組本編のデータの前記ＣＭ表示時間に対応する時間帯には当該時間帯の前から継続する生中継のデータが含まれる、請求項１に記載の受信装置。
【請求項７】
前記番組本編のデータの前記ＣＭ表示時間に対応する時間帯には、当該時間帯の直前の番組本編のデータと同一のデータとともにＣＭデータが含まれる、請求項１に記載の受信装置。
【請求項８】
前記受信部は、前記ＣＭ表示時間に表示させるため、前記番組本編に関係する画像データを、前記通信ネットワークを介して受信し、
前記制御部は、電源オン時またはチャンネル切換時が前記ＣＭ表示時間と重なった場合には、前記ＣＭ表示時間に、前記番組本編に関係する画像データを表示させる、請求項１に記載の受信装置。
【請求項９】
前記番組本編のデータ及び前記ＣＭのデータは、前記通信ネットワークにおけるマルチキャストの分岐部まで共に送信され、
前記受信部は、前記ＣＭ表示時間以外では前記番組本編のデータを取得し、前記ＣＭ表示時間では前記ＣＭのデータを取得し、電源オン時またはチャンネル切換時が前記ＣＭ表示時間と重なった場合には、前記制御部の指示に基づいて、前記ＣＭ表示時間にＣＭのデータを取得することなく前記番組本編のデータを取得する、請求項１に記載の受信装置。
【請求項１０】
通信ネットワークを介して、番組本編のデータとＣＭのデータを受信装置に送信するサーバと、
前記番組本編のデータに含まれるＣＭ表示時間を取得し、前記ＣＭ表示時間以外では前記番組本編のデータを表示させ、前記ＣＭ表示時間にはＣＭのデータを表示させる制御部を備え、電源オン時またはチャンネル切換時が前記ＣＭ表示時間と重なった場合には、前記ＣＭ表示時間にＣＭのデータを表示させることなく前記番組本編のデータを表示させる、受信装置と、
を備える、通信システム。
【請求項１１】
前記サーバは、前記ＣＭ表示時間に表示させるため、前記番組本編に関係する画像データを前記受信装置に送信する画像送信部を備え、
前記受信装置の前記制御部は、電源オン時またはチャンネル切換時が前記ＣＭ表示時間と重なった場合には、前記ＣＭ表示時間に前記画像送信部から送信された前記画像データの画像を表示させる、請求項９に記載の通信システム。
【請求項１２】
通信ネットワークを介して番組本編のデータとＣＭのデータを取得するステップと、
前記番組本編のデータに含まれるＣＭ表示時間を取得し、前記ＣＭ表示時間以外では前記番組本編のデータを表示させるステップと、
前記ＣＭ表示時間にはＣＭのデータを表示させるステップと、
電源オン時またはチャンネル切換時が前記ＣＭ表示時間と重なった場合には、前記ＣＭ表示時間にＣＭのデータを表示させることなく前記番組本編のデータを表示させるステップと、
を備える受信装置の制御方法。
【請求項１３】
通信ネットワークを介して番組本編のデータとＣＭのデータを取得する手段、
前記番組本編のデータに含まれるＣＭ表示時間を取得し、前記ＣＭ表示時間以外では前記番組本編のデータを表示させる手段、
前記ＣＭ表示時間にはＣＭのデータを表示させる手段、
電源オン時またはチャンネル切換時が前記ＣＭ表示時間と重なった場合には、前記ＣＭ表示時間にＣＭのデータを表示させることなく前記番組本編のデータを表示させる手段、
としてコンピュータを機能させるためのプログラム。
【発明の詳細な説明】
【技術分野】
【０００１】
本発明は、受信装置、通信システム、受信装置の制御方法及びプログラムに関する。
【背景技術】
【０００２】
従来、本編ストリームとＣＭストリームが多重化された放送波システムにおいて、ユーザのチャンネル操作等を感知すると、本編ストリームの選択の前にＣＭストリームを選択し、ユーザの視聴開始位置に依らず、ユーザのＣＭ視聴時間を確保する技術が公知である。
【０００３】
【特許文献１】特表２００７−５１５８３８号公報
【発明の開示】
【発明が解決しようとする課題】
【０００４】
しかしながら、ユーザがチャンネル操作または電源を投入した場合に、ＣＭが放送されていると、ユーザは選択した番組の内容を認識できないため、ユーザが他局にチャンネルを切り換えてしまうことが考えられる。この場合、番組提供者にとっては、自局のチャンネルが選局されていたにも関わらず、電源オンまたはチャンネル操作時にＣＭが流れていたことによって、チャンネルが切り換えられてしまい、自局を視聴するユーザを逃してしまう事態が生じる。
【０００５】
そこで、本発明は、上記問題に鑑みてなされたものであり、本発明の目的とするところは、電源オン時またはチャンネル切換時がＣＭ表示時間と重なった場合であっても、番組本編を視聴させることが可能な、新規かつ改良された受信装置、通信システム、受信装置の制御方法及びプログラムを提供することにある。
【課題を解決するための手段】
【０００６】
上記課題を解決するために、本発明のある観点によれば、通信ネットワークを介して番組本編のデータとＣＭのデータを取得する受信部と、前記番組本編のデータに含まれるＣＭ表示時間を取得し、前記ＣＭ表示時間以外では前記番組本編のデータを表示させ、前記ＣＭ表示時間にはＣＭのデータを表示させる制御部と、を備え、前記制御部は、電源オン時またはチャンネル切換時が前記ＣＭ表示時間と重なった場合には、前記ＣＭ表示時間にＣＭのデータを表示させることなく前記番組本編のデータを表示させる、受信装置が提供される。
【０００７】
上記構成によれば、通信ネットワークを介して番組本編のデータとＣＭのデータが取得される。番組本編のデータに含まれるＣＭ表示時間が取得され、ＣＭ表示時間以外では番組本編が表示され、ＣＭ表示時間にはＣＭが表示される。そして、電源オン時またはチャンネル切換時がＣＭ表示時間と重なった場合には、ＣＭ表示時間にＣＭが表示されることなく番組本編が表示される。従って、電源オン時またはチャンネル切換時にＣＭが表示されることによって他のチャンネルに切り換えられてしまうことが抑止され、視聴者に当初のチャンネルを引き続き視聴してもらうことが可能となる。
【０００８】
また、前記ＣＭのデータを蓄積するＣＭデータ記憶部を備え、前記制御部は、前記ＣＭ表示時間において、前記ＣＭデータ記憶部に蓄積された前記ＣＭのデータを表示させるものであってもよい。
【０００９】
また、所定時間の間におけるチャンネルの切り換えの履歴を保持する切換履歴記憶部を備え、前記制御部は、前記所定時間内に任意のチャンネルを最初に選局した場合に、選局タイミングがＣＭ表示時間と重なった場合は、前記ＣＭ表示時間にＣＭのデータを表示させることなく、前記番組本編のデータを表示させ、前記所定時間内に既に選局されたチャンネルを再度選局した場合に、選局タイミングがＣＭ表示時間と重なった場合は、前記ＣＭ表示時間にＣＭのデータを表示させるものであってもよい。
【００１０】
また、前記番組本編のデータの前記ＣＭ表示時間に対応する時間帯には、当該時間帯の直前の番組本編のデータと同一のデータが含まれるものであってもよい。
【００１１】
また、前記番組本編のデータの前記ＣＭ表示時間に対応する時間帯には、番組本編のあらすじ又は見所を含む番組本編の情報が含まれるものであってもよい。
【００１２】
また、前記番組本編のデータは生中継のデータであり、前記番組本編のデータの前記ＣＭ表示時間に対応する時間帯には当該時間帯の前から継続する生中継のデータが含まれるものであってもよい。
【００１３】
また、前記番組本編のデータの前記ＣＭ表示時間に対応する時間帯には、当該時間帯の直前の番組本編のデータと同一のデータとともにＣＭデータが含まれるものであってもよい。
【００１４】
また、前記受信部は、前記ＣＭ表示時間に表示させるため、前記番組本編に関係する画像データを、前記通信ネットワークを介して受信し、前記制御部は、電源オン時またはチャンネル切換時が前記ＣＭ表示時間と重なった場合には、前記ＣＭ表示時間に前記番組本編に関係する画像データを表示させるものであってもよい。
【００１５】
また、前記番組本編のデータ及び前記ＣＭのデータは、前記通信ネットワークにおけるマルチキャストの分岐部まで共に送信され、前記受信部は、前記ＣＭ表示時間以外では前記番組本編のデータを取得し、前記ＣＭ表示時間では前記ＣＭのデータを取得し、電源オン時またはチャンネル切換時が前記ＣＭ表示時間と重なった場合には、前記制御部の指示に基づいて、前記ＣＭ表示時間にＣＭのデータを取得することなく前記番組本編のデータを取得するものであってもよい。
【００１６】
また、上記課題を解決するために、本発明の別の観点によれば、通信ネットワークを介して、番組本編のデータとＣＭのデータを受信装置に送信するサーバと、前記番組本編のデータに含まれるＣＭ表示時間を取得し、前記ＣＭ表示時間以外では前記番組本編のデータを表示させ、前記ＣＭ表示時間にはＣＭのデータを表示させる制御部を備え、電源オン時またはチャンネル切換時が前記ＣＭ表示時間と重なった場合には、前記ＣＭ表示時間にＣＭのデータを表示させることなく前記番組本編のデータを表示させる、受信装置と、を備える、通信システムが提供される。
【００１７】
上記構成によれば、サーバから通信ネットワークを介して番組本編のデータとＣＭのデータが受信装置に送信される。番組本編のデータとＣＭのデータは受信装置で取得され、番組本編のデータに含まれるＣＭ表示時間が取得され、ＣＭ表示時間以外では番組本編が表示され、ＣＭ表示時間にはＣＭが表示される。そして、電源オン時またはチャンネル切換時がＣＭ表示時間と重なった場合には、ＣＭ表示時間にＣＭが表示されることなく番組本編が表示される。従って、電源オン時またはチャンネル切換時にＣＭが表示されることによって他のチャンネルに切り換えられてしまうことが抑止され、視聴者に当初のチャンネルを引き続き視聴してもらうことが可能となる。
【００１８】
また、前記サーバは、前記ＣＭ表示時間に表示させるため、前記番組本編に関係する画像データを前記受信装置に送信する画像送信部を備え、前記受信装置の前記制御部は、電源オン時またはチャンネル切換時が前記ＣＭ表示時間と重なった場合には、前記ＣＭ表示時間に前記画像送信部から送信された前記画像データの画像を表示させるものであってもよい。
【００１９】
また、上記課題を解決するために、本発明の別の観点によれば、通信ネットワークを介して番組本編のデータとＣＭのデータを取得するステップと、前記番組本編のデータに含まれるＣＭ表示時間を取得し、前記ＣＭ表示時間以外では前記番組本編のデータを表示させるステップと、前記ＣＭ表示時間にはＣＭのデータを表示させるステップと、電源オン時またはチャンネル切換時が前記ＣＭ表示時間と重なった場合には、前記ＣＭ表示時間にＣＭのデータを表示させることなく前記番組本編のデータを表示させるステップと、を備える通信方法が提供される。
【００２０】
上記構成によれば、通信ネットワークを介して番組本編のデータとＣＭのデータが取得される。番組本編のデータに含まれるＣＭ表示時間が取得され、ＣＭ表示時間以外では番組本編が表示され、ＣＭ表示時間にはＣＭが表示される。そして、電源オン時またはチャンネル切換時がＣＭ表示時間と重なった場合には、ＣＭ表示時間にＣＭが表示されることなく番組本編が表示される。従って、電源オン時またはチャンネル切換時にＣＭが表示されることによって他のチャンネルに切り換えられてしまうことが抑止され、視聴者に当初のチャンネルを引き続き視聴してもらうことが可能となる。
【００２１】
また、上記課題を解決するために、本発明の別の観点によれば、通信ネットワークを介して番組本編のデータとＣＭのデータを取得する手段、前記番組本編のデータに含まれるＣＭ表示時間を取得し、前記ＣＭ表示時間以外では前記番組本編のデータを表示させる手段、前記ＣＭ表示時間にはＣＭのデータを表示させる手段、電源オン時またはチャンネル切換時が前記ＣＭ表示時間と重なった場合には、前記ＣＭ表示時間にＣＭのデータを表示させることなく前記番組本編のデータを表示させる手段、としてコンピュータを機能させるためのプログラムが提供される。
【００２２】
上記構成によれば、通信ネットワークを介して番組本編のデータとＣＭのデータが取得される。番組本編のデータに含まれるＣＭ表示時間が取得され、ＣＭ表示時間以外では番組本編が表示され、ＣＭ表示時間にはＣＭが表示される。そして、電源オン時またはチャンネル切換時がＣＭ表示時間と重なった場合には、ＣＭ表示時間にＣＭが表示されることなく番組本編が表示される。従って、電源オン時またはチャンネル切換時にＣＭが表示されることによって他のチャンネルに切り換えられてしまうことが抑止され、視聴者に当初のチャンネルを引き続き視聴してもらうことが可能となる。
【発明の効果】
【００２３】
本発明によれば、電源オン時またはチャンネル切換時がＣＭ表示時間と重なった場合であっても、番組本編を視聴させることが可能な、受信装置、通信システム、受信装置の制御方法及びプログラムを提供することができる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
図１は、本発明の一実施形態に係る通信システム５００を示す模式図である。図１に示すように、通信システム５００は、番組を配信するホスト装置であるサーバ２００と、各家庭などで番組を受信するユーザ端末としての端末受信装置１００を備えている。また、通信システム５００は、サーバ２００とデータ受信装置１００との間を中継するルータ３００，３０２を備えている。図１に示すように、本実施形態の通信システム５００は、サーバ２００からマルチキャストで配信される放送を端末受信装置１００で受信して再生するものである。本実施形態において、サーバ２００は、インターネットを介して映像を配信するＩＰＴＶ（Ｉｎｔｅｒｎｅｔ  Ｐｒｏｔｏｃｏｌ  Ｔｅｌｅｖｉｓｉｏｎ）サーバであるが、サーバの機能はこれに限定されるものではない。
【００２６】
サーバ２００とルータ３００の間、およびルータ３００とルータ３０２との間はデータ転送容量の比較的大きい伝送線４００によって接続されている。また、ルータ３０２とデータ受信装置１００との間は、例えば帯域幅の狭いＡＤＳＬ回線など、データ転送容量の比較的少ない伝送線４０２によって接続されている。伝送線４００，４０２は、電話回線、電力線などから構成される。伝送線４００は、例えばＴＶの番組本編データなどのＨＤ画像の複数を同時に伝送できる。一方、伝送線４０２は、番組本編データとしてのＨＤ画像とＨＤ画像よりも低解像度の比較的ビットレートの低い画像を同時に転送するものを想定しているが、伝送線４０２についても、伝送線４００と同様に複数のＨＤ画像を同時に伝送できるものであっても良い。
【００２７】
図２は、端末受信装置１００の構成を示す模式図である。端末受信装置１００は、ネットワークインターフェース１０２、フィルタ１０４、フィルタ１０６、選択部１０８、デコーダ１１０、記憶装置１１２、制御部１１４を備える。また、端末受信装置１００には、表示装置１２０、およびコマンド入力装置１３０が接続されている。図２に示す端末受信装置１００の各構成要素は、ＣＰＵなどの演算処理装置（マイクロプロセッサ）と、これを機能させるプログラム（ソフトウェア）、記憶装置１１２、外部とのインターフェースとなる入出力装置等によって構成されることができる。この際、演算処理装置を機能させるためのプログラムは、記憶装置１１２に格納されることができる。
【００２８】
表示装置１２０は、液晶ディスプレイ等のディスプレイから構成され、通常のテレビモニターとして機能する他、端末受信装置１００と一体に構成されていても良い。コマンド入力装置１３０は、端末受信装置１００の電源のオン／オフ、または端末受信装置１００が受信する放送のチャンネルを切換える際に使用され、キーボード等の入力装置で構成されるが、キーボードに限られるものではない。コマンド入力装置１３０は、例えば、端末受信装置１００を操作するためのリモートコントローラ等で構成されることができる。また、コマンド入力装置１３０は、端末受信装置１００と一体に構成されていても良い。
【００２９】
ネットワークインターフェース１０２は、通信用のハードウェアと、各種プロトコルを実装したソフトウェアから構成される。ネットワークインターフェース１０２は、伝送線４０２と接続され、番組データのストリームとＣＭデータのストリームを受信する。ここで、伝送線４０２から送られる番組データは、ＨＤ画像などビットレートの高いデータで送られる。また、ＣＭデータは、蓄積されてから表示されるので、低ビットレートであっても、表示時間より長い時間をかけて受信することにより、ＨＤ画像にすることもできる。一方、ＣＭデータは、ＨＤ画像よりも低解像度でありビットレートの低いデータで送られる。なお、ルータ３０２と端末受信装置１００を接続する伝送線４０２を大容量のデータ伝送を可能なものとした場合、伝送線４０２を介して番組データとＣＭデータの双方を高ビットレートのＨＤ画像で転送しても良い。
【００３０】
ネットワークインターフェース１０２で受信されたデータのうち、番組データは、フィルタ１０４へ送られる。番組データのデータ形式は、例えばＭＰＥＧのトランスポート・ストリーム（ＴＳ；Ｔｒａｎｓｐｏｒｔ  Ｓｔｒｅａｍ）である。フィルタ１０４では、パケット識別子（ＰＩＤ）に基づいてフィルタリングすることにより、番組データの中から映像データ（ビデオデータ）、音声データ（オーディオデータ）を分離することができる。分離されたビデオデータ、オーディオデータは、選択部１０８へ送られる。また、フィルタ１０４は、番組データの中からサービスインフォメーション（ＳＩ；Ｓｅｒｖｉｃｅ  Ｉｎｆｏｒｍａｔｉｏｎ）を分離することができ、分離されたサービスインフォメーションは制御部１１４へ送られる。サービスインフォメーションには、番組情報、ＣＭの開始時刻、終了時刻などの時間情報（ＣＭ表示時間）が含まれている。なお、番組情報、ＣＭの開始時刻、終了時刻などの時間情報は、番組データのストリームからではなく、伝送線４００、伝送線４０２によるネットワークを通じて、マルチキャストあるいはユニキャストにより取得することもできる。
【００３１】
また、ＣＭデータは、番組データとは別に、伝送線４００、伝送線４０２によるネットワークを通じてより低いビットレートで取得される。ＣＭデータは、番組データを受信して、番組を視聴している間に取得される。ネットワークインターフェース１０２で受信されたＣＭデータは、記憶装置１１２へ送られ、チャンネル毎に分けられて記憶装置１１２のＣＭデータ記憶部１１２ａに蓄積される。蓄積されたＣＭデータは、ＣＭ表示時間が到来した際に、選択部１０８からデコーダ１１０へ送られ、番組本編の表示から切換えて表示装置１２０に表示される。記憶装置１１２は、例えばハードディスクドライブ、フラッシュメモリ等の不揮発性のメモリから構成されることができる。記憶装置１１２に蓄積されたＣＭデータは、制御部１１４からの指令に基づいてフィルタ１０６へ送られる。フィルタ１０６は、ＣＭデータからオーディオデータ、ビデオデータを抽出して選択部１０８へ送る。
【００３２】
フィルタ１０４から制御部１１４へ送られたサービスインフォメーションの中には、番組データ中でＣＭが挿入される時間（ＣＭ表示時間）の情報が含まれている。換言すれば、制御部１１４へ送られたデータの中には、番組本編が放映される時間の情報が含まれている。端末受信装置１００の制御部１１４は、フィルタ１０４から送られたＣＭ表示時間に基づいて選択部１０８を制御し、番組本編が放映される時間帯では、フィルタ１０４に経由して選択部１０８に送られた番組本編のデータをデコーダ１１０に送る。
【００３３】
選択部１０８に送られた番組データは、デコーダ１１０に送られて、デコーダ１１０にて復号されて、表示装置１２０に送られる。デコーダ１１０は、ハードウェアまたは演算処理装置と、これを機能させるプログラムによって構成される。表示装置１２０は、復号された番組データを表示する。このように、端末受信装置１００は、ネットワークインターフェース１０２を介して受信した番組データの時間情報に基づいて、受信したデータが番組本編のデータである場合は、選択部１０８を介してデコーダ１１０へ送り、番組本編の映像を表示させる。
【００３４】
一方、端末受信装置１００の制御部１１４は、フィルタ１０４から送られた時間情報に基づいて、番組データ中でＣＭが挿入される時間帯（ＣＭ表示時間）では、フィルタ１０６からの入力をデコーダ１１０へ送るよう、選択部１０８へ指令を出す。選択部１０８では、制御部１１４からの指令に基づいて、フィルタ１０４から送られた番組データと、フィルタ１０６から送られたＣＭデータとを切り換えてデコーダへ出力する。これにより、フィルタ１０６から送られたＣＭのデータが選択部１０８から出力されて、デコーダ１１０へ送られる。
【００３５】
選択部１０８に送られたＣＭデータは、デコーダ１１０に送られて、デコーダ１１０にて復号されて、表示装置１２０に送られる。表示装置１２０は、復号されたＣＭデータを表示する。
【００３６】
このように、本実施形態の端末受信装置１００では、ネットワークインターフェース１０２を介して番組本編のデータを受信している間は、番組本編のデータをフィルタ１０４、選択部１０８、デコーダ１１０を経由して表示装置１２０へ送る。これにより、視聴者は表示装置１２０のディスプレイに表示された番組の本編を視聴することができる。
【００３７】
そして、番組データを表示装置１２０に表示している際に、フィルタ１０４から送られた時間情報によりＣＭ表示時間が到来したことが検知されると、制御部１１４は、選択部１０８からデコーダ１１０へ送るデータを切り換える。これにより、記憶装置１１２に蓄積されているＣＭのデータがデコーダ１１０へ送られ、ＣＭの映像が表示装置１２０に表示される。従って、番組本編の途中にＣＭを挿入することが可能となる。
【００３８】
図３は、番組データのストリーム６００を示す模式図である。図３に示すように、番組データのストリーム６００中には、予めＣＭ表示時間（区間Ｔ１、Ｔ２）が設定されている。上述したサービスインフォメーションは、このＣＭ表示時間の情報を含んでいる。従って、制御部１１４は、区間Ｔ１、Ｔ２が到来した際に、選択部１０８からデコーダ１１０へ出力するデータを切り換えることで、区間Ｔ１、Ｔ２にＣＭを挿入することが可能となる。
【００３９】
そして、本実施形態では、図３に示す番組データのストリーム６００中において、ＣＭ表示時間（区間Ｔ１、Ｔ２）には、ＣＭの直前の部分の番組本編のデータ６０２と同じデータ６０４が挿入されている。
【００４０】
視聴者が番組本編を継続して視聴している場合、上述したようにＣＭデータが挿入される時間帯においては、制御部１１４からの指令に基づいて、選択部１０８の出力が切り換えられて、ＣＭ表示時間（区間Ｔ１、Ｔ２）にはＣＭデータが挿入される。
【００４１】
一方、制御部１１４は、視聴者が電源をオンにしたタイミング、または視聴者が受信する番組のチャンネルを切り換えたタイミングが、区間Ｔ１、Ｔ２と重なる場合は、選択部１０８の出力を切り換えずに、番組データのストリーム６００をデコーダ１１０へ送る。
【００４２】
これにより、電源オンのタイミング、またはチャンネルの切換えタイミングでは、番組データの区間Ｔ１、Ｔ２に予め挿入されている、区間Ｔ１、Ｔ２の直前部分の番組本編のデータが表示装置１２０に表示される。このため、視聴者は、電源オン時、またはチャンネル切換時のタイミングが、本来はＣＭが挿入されるタイミングであっても、番組本編を視聴することができる。
【００４３】
例えば、図３において、時刻ｔ１のタイミングで視聴者による電源オンまたはチャンネルの切り換え（選局）が行われた場合、時刻ｔ１はＣＭ表示時間（区間Ｔ１）と一致しているため、制御部１１４は、選択部１０８からの出力を切り換える制御を行わない。このため、フィルタ１０４から送られた番組データのストリーム６０をデコーダ１１０へ送る。これにより、時刻ｔ１では、番組データの区間Ｔ１に予め挿入されている、区間Ｔ１の直前部分の番組本編のデータが表示装置１２０に表示される。
【００４４】
一方、時刻ｔ１のタイミングで視聴者による電源オンまたはチャンネルの切り換え（選局）が行われた後、次のＣＭ表示時間（区間Ｔ２）が到来した際には、制御部１１４は、選択部１０８の出力を切り換えて、区間Ｔ２にＣＭデータを挿入する。これにより、電源オン時またはチャンネル切り換え時のみ、ＣＭ放映時間帯に番組本編を放映することが可能となる。
【００４５】
電源投入時、またはチャンネル切換時にＣＭが放映されてしまうと、通常、視聴者は番組本編を視聴したいため、他のチャンネルを選局してしまうことが想定される。本実施形態では、電源オン時、またはチャンネルの切り換え時においては、視聴者がＣＭを視聴することがなくなるため、電源オン時、またはチャンネル切り換え時に視聴者がチャンネルを切り換えてしまうことを回避できる。
【００４６】
一方、ＣＭの入るタイミングではなく、本編を表示しているタイミングで電源の投入またはチャンネルの切り換えが行われた場合は、番組本編が放映される。そして、次にＣＭの入るべきタイミングが到来した際には、選択部によりＣＭデータが選択され、ＣＭデータがデコーダへ送られる。これにより、視聴者はＣＭを視聴することができる。
【００４７】
端末受信装置１００は、コマンド入力装置１３０から入力された視聴者によるチャンネルの切り換えの履歴を、記憶装置１１２の切換履歴記憶部１１２ｂに記憶し、視聴者によるチャンネルの切り換えの履歴とＣＭデータを所定期間保存する。そして、所定期間のチャンネル選局の履歴に基づいて、当該所定期間内に任意のチャンネルを最初に選局した場合に、選局がＣＭ表示時間と重なった場合は、上述のようにＣＭを挿入することなく、ＣＭ時間に番組本編の繰り返し映像を表示する。一方、当該所定期間内に既に選局されたチャンネルが再び選局された場合は、視聴者がそのチャンネルの番組本編の内容を既に認識しているため、選局のタイミングがＣＭ表示時間と重なっても、番組も本編の繰り返し映像を表示せずにＣＭを挿入する。これにより、ＣＭを視聴する機会が過度に減少してしまうことが抑えられる。
【００４８】
また、図３の例では、ＣＭの入るべき位置には、ＣＭの直前の部分の番組データを繰り返して挿入しているが、挿入されるデータはこれに限定されるものではなく、番組提供者（放送局）が自由に設定することができる。例えば、ＣＭの入るべき位置には、番組の見所、あらすじ等を表示するためのデータを挿入しても良い。これにより、電源オン時、またはチャンネル切換時のタイミングがＣＭ挿入期間と重なった場合、視聴者は番組の見所、あらすじ等を見ることができるため、電源オン、またはチャンネル切換の直後に他局にチャンネルを切換えてしまうことが回避される。
【００４９】
また、番組本編が生放送のスポーツ中継等の場合は、番組ストリーム中のＣＭ挿入期間には、生中継の映像データをそのまま挿入しても良い。この場合においても、電源投入時、またはチャンネル切換時のタイミングがＣＭ挿入期間と重なった場合、視聴者は生中継の映像をそのまま見ることができるため、電源オン、またはチャンネル切換の直後に他局にチャンネルを切換えてしまうことが抑止される。
【００５０】
また、図４は、番組データのストリーム６００中のＣＭの入るべき位置に、ＣＭの直前の部分の番組データとともに、ＣＭデータを挿入し、番組本編の映像とＣＭの双方を表示装置１２０に表示した例を示す模式図である。このように、番組本編とＣＭの双方をＣＭ挿入時間帯（区間Ｔ１、Ｔ２）に予め挿入しておくことで、視聴者は、電源オン時またはチャンネルの切り換え時には、番組本編とともにＣＭを視聴することができる。従って、視聴者が他のチャンネルに切り換えてしまうことを回避できるとともに、視聴者がＣＭを視聴することも可能となる。この場合においても、電源オン時またはチャンネルの切り換え時の後、次のＣＭ表示時間が到来した際には、制御部１１４の指令により挿入されたＣＭの映像のみが表示装置１２０に表示される。
【００５１】
上述の構成では、電源オンのタイミング、またはチャンネルの切換えタイミングがＣＭ表示時間と重なった場合に、番組データのストリームに予め挿入されているデータにより表示を行うものとしたが、別途サーバ２００から取得した画像を表示することもできる。この場合、図１に示すサーバ２００の画像送信部２００ａは、番組データ、ＣＭデータとは別に、ＣＭ表示時間に挿入するための画像データを端末受信装置１００へ送信する。端末受信装置１００の記憶装置１１２は、送られて画像データを記憶する。そして、制御部１１４は、ＣＭ表示時間に基づいて、電源オンのタイミング、またはチャンネルの切換えタイミングがＣＭ表示時間と重なった場合に、記憶装置１１２に記憶された画像データを選択部１０８に送り、表示装置１２０に表示させる。
【００５２】
また、ＣＭ表示時間Ｔ１、Ｔ２の直前に電源オンまたはチャンネルの切り換えが発生し、番組本編のストリームの受信中に次のＣＭのデータを完全に取得できなかった場合は、記憶装置１１２の代替データ記憶部１１２ｃに予め記憶している代替のＣＭデータを用いる。この場合、代替のＣＭデータを表示装置１２０に表示する。
【００５３】
次に、図５のフローチャートに基づいて、選局履歴を参照することにより本実施形態の端末受信装置１００における処理の手順について説明する。先ず、ステップＳ１０では、端末受信装置１００の電源がオンになったか否かを判定する。ステップＳ１０で電源がオンになった場合は、ステップＳ１２へ進み、電源オン時に選局されている現在のチャンネルを選局履歴に追加する。
【００５４】
次のステップＳ１４では、ＣＭスキップ完了フラグをリセットし、次のステップＳ１６では番組本編のストリーム６００を受信し、番組情報に含まれているサービスインフォメーションから番組情報を取得する。上述したように、サービスインフォメーションには、ＣＭが挿入される時間情報が記録されている。
【００５５】
次のステップＳ１８では、再選局が行われたか否かを判定し、再選局が行われた場合は、ステップＳ２０へ進む。ステップＳ２０では、ＣＭスキップ完了フラグをセットし、ステップＳ２２へ進む。一方、ステップＳ１８で再選局が行われていないことが判定された場合、ステップＳ２０でＣＭスキップ完了フラグをセットすることなく、ステップＳ２２へ進む。ステップＳ２２では、ＣＭ表示時間か否かを判定し、ＣＭ表示時間の場合は、ステップＳ２４へ進む。
【００５６】
ステップＳ２４では、ＣＭスキップ完了フラグがセットされているか否かを判定し、ＣＭスキップ完了フラグがセットされている場合は、ステップＳ２８へ進む。ステップＳ２８では、記憶装置１１２に蓄積されたＣＭデータを選択部１０８からデコーダ１１０へ送り、表示装置１２０のディスプレイに表示する。このように、ＣＭ表示時間であり、且つＣＭスキップ完了フラグがセットされている場合は、記憶装置１１２に蓄積されたＣＭデータが選択部１０８からデコーダへ送られ、表示装置１２０にＣＭが表示される。
【００５７】
次のステップＳ３０では、チャンネルの切り換えが行われたか否かを判定する。チャンネルの切り換えが行われた場合は、ステップＳ１２へ戻り、以降の処理を行う。また、ステップＳ３０でチャンネルの切り替えが行われなかった場合は、ステップＳ３２へ進み、電源がオフされたか否かを判定する。ステップＳ３２で電源がオフされた場合は、処理を終了する。一方、ステップＳ３２で電源がオフされなかった場合は、ステップＳ２２へ戻り、以降の処理を行う。
【００５８】
また、ステップＳ２２でＣＭ表示時間でないことが判定された場合、またはステップＳ２４でＣＭスキップ完了フラグがセットされていない場合は、ステップＳ２６へ進む。ステップＳ２６では、番組本編のストリームをそのままデコーダ１１０へ送り、番組本編を表示装置１２０のディスプレイに表示する。
【００５９】
ステップＳ２６の後はステップＳ３４へ進む。ステップＳ３４では、番組本編のストリームを受信しながら、次のＣＭ挿入時間に挿入するＣＭデータを伝送線４０２から取得し、記憶装置１１２に蓄積する。ＣＭデータの取得は、番組本編ストリームの受信と並行して、別のタスクとして実行される。次のステップＳ３６では、ＣＭ挿入時間が終了したか否かを判定し、ＣＭ挿入時間が終了した場合は、ステップＳ３８でＣＭスキップ完了フラグをセットしてステップＳ３０へ進む。一方、ステップＳ３６でＣＭ挿入時間が終了していない場合は、ＣＭスキップ完了フラグをセットすることなく、ステップＳ３０へ進む。
【００６０】
図５の処理によれば、電源オン時（ステップＳ１０）、またはチャンネル切換時（ステップＳ３０）において、選択されているチャンネルが以前に選局されていたチャンネルを再選局したものであるか否かが判定される。そして、ＣＭ表示時間であるか否かが判定され（ステップＳ２２）、ＣＭ表示時間の場合は再選局の場合にＣＭが表示される。一方、ＣＭ表示時間でない場合は、番組本編のストリームが表示される（ステップＳ２６）。また、ＣＭ表示時間であっても、再選局でない場合は、現在のチャンネルが初めて選択されたものであるため、番組本編のストリームが表示される。
【００６１】
従って、電源オン時またはチャンネル切換時において、ＣＭ表示時間であっても、現在のチャンネルが以前に選局されたチャンネルの場合は、ＣＭを表示することができる。この場合、現在のチャンネルは以前に選局されているため、視聴者は当該チャンネルの番組本編の内容を既に認識している。従って、電源オン時またはチャンネル切換時がＣＭ表示時間である場合において、ＣＭを表示したとしても視聴者がチャンネルを直ちに切換える可能性は低い。このため、電源オン時またはチャンネル切換時にＣＭを表示することで、ＣＭの機能を効果的に発揮させることが可能となる。なお、再選局であるか否かの判定は、例えば電源オン時またはチャンネル切換時から所定時間（例えば数分程度）前の間に現在のチャンネルが以前に選局されていたか否かによって判定することができる。
【００６２】
なお、上述したように、ＣＭ表示時間の直前に電源オン、またはチャンネルの切り換えが発生した場合は、ステップＳ２８のＣＭの表示において、記憶装置１１２に予め記憶している代替のＣＭを表示する。
【００６３】
次に、ＣＭデータについてもＨＤ画像など解像度の高いデータで取得する場合について説明する。上述したように、図１に示すシステムにおいて、伝送線４００は、ＨＤ画像の複数を同時に伝送できる。このため、サーバ２００は、伝送線４００により、ルータ３０２まではＨＤ画像の番組データのストリーム以外に、ＨＤ画像のＣＭデータのストリームを異なるＩＰアドレスで送ることができる。この場合、端末受信装置１００は、ＣＭ表示時間以外では番組ストリームを受信するとともに、ＣＭ表示時間ではＩＰアドレスを切り換えてＣＭデータのストリームの受信に切り換えることによって高解像度のＣＭを表示することができる。この場合、制御部１１４は、番組データから得られるＣＭ表示時間に基づいてＩＰアドレスを切り換えて、ＣＭデータのストリームを取得し、取得されたＣＭデータのストリームは表示装置１２０へ表示される。この場合、記憶装置１１２へのＣＭデータの蓄積は不要である。この場合においても、番組データのストリームは、図３と同様に構成される。そして、電源オン、またはチャンネル切り換えのタイミングがＣＭ表示時間と重なった場合は、ＣＭストリームへの切り換えを行わないことにより、ＣＭ表示時間の直前の番組本編の映像を表示することができる。
【００６４】
以上説明したように本実施形態によれば、電源オン時またはチャンネル切換時において、ＣＭ表示時間と重なった場合は、番組本編の繰り返し映像が表示されるため、視聴者は番組本編の内容を認識することができる。従って、電源オン時等にＣＭが表示されることによって他のチャンネルに切り換えられてしまうことが抑止され、番組提供者にとっては、選局されているチャンネルを引き続き視聴してもらうことができる。
【００６５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６６】
【図１】本発明の一実施形態に係る通信システムを示す模式図である。
【図２】本発明の一実施形態に係る端末受信装置の構成を示す模式図である。
【図３】番組データのストリームを示す模式図である。
【図４】番組データのストリーム中のＣＭの入るべき位置に、ＣＭの直前の部分の番組データとともに、ＣＭデータを挿入し、番組本編の映像とＣＭの双方を表示装置に表示した例を示す模式図である。
【図５】本発明の一実施形態に係る端末受信装置における処理の手順を説明するためのフローチャートである。
【符号の説明】
【００６７】
１００    端末受信装置
１０２    ネットワークインターフェース
１１２    記憶部
１１４    制御部
２００    サーバ
２００ａ    画像送信部
５００    通信システム
【図１】
2010136222.tif 000003
【図２】
2010136222.tif 000004
【図３】
2010136222.tif 000005
【図４】
2010136222.tif 000006
【図５】
2010136222.tif 000007